(57)【要約】      （修正有）【課題】振動式路面転圧機において、その転圧板表面にアスファルトとの付着防止材を自動的かつ継続的に供給することができる装置を提供する。【解決手段】振動式路面転圧機に搭載されたアスファルト付着防止剤供給装置が、アスファルト付着防止剤が供給されるための弁であって、振動によって開閉する弁１２を備えている。【選択図】図４
2015021363.tif 000002
【特許請求の範囲】
【請求項１】
振動式路面転圧機のアスファルト付着防止剤供給装置において、アスファルト付着防止剤が供給されるための弁であって、振動によって開閉する弁を備えたことを特徴とするアスファルト付着防止剤供給装置。
【請求項２】
前記振動によって開閉する弁は、弁体、弁座、弁口、及び、弁体制動部材を備えて構成され、静止状態において弁体にかかる応力によって弁体が弁座と密着して弁口を塞ぐように弁体制動部材を備えていることを特徴とする請求項１に記載のアスファルト付着防止剤供給装置。
【請求項３】
前記応力が、弁体の自重であることを特徴とする請求項２に記載のアスファルト付着防止剤供給装置。
【請求項４】
前記弁体の比重が３〜２２であることを特徴とする請求項３に記載のアスファルト付着防止剤供給装置。
【請求項５】
前記応力が、バネによって負荷されることを特徴とする請求項２に記載のアスファルト付着防止剤供給装置。
【発明の詳細な説明】
【技術分野】
【０００１】
本発明は、例えばアスファルト付着防止剤供給装置に係り、特に、プレートコンパクタ等の振動式路面転圧機に搭載され、その転圧板とアスファルト合材の付着を防止するための各種付着防止剤をその転圧板表面に供給するアスファルト付着防止剤供給装置に関するものである。
【背景技術】
【０００２】
プレートコンパクタ等の振動式路面転圧機は、主にアスファルト路面の転圧作業に使用されるものであるが、連続して使用する場合、その転圧板とアスファルト合材とが付着してスムースな路面転圧ができなくなる。
【０００３】
これを解決する手段として、主に二つの方法が開示されている。一つは、上記転圧機の転圧板を加熱することによってアスファルト合材を溶融、離型する方法である。例えば、特開平０７−１１３２０９号公報、特開平１０−３１７３１４号公報、特開２００１−０２０２１３号公報、特開２００８−０３８５８１号公報、及び、特開２０１１−１９０５８７号公報等に開示されており、実用化されている。もう一つは、上記転圧機とアスファルト合材との間に、水等のようなアスファルト付着防止剤を供給することによって離型性を付与する方法である。例えば、特開平０６−１９３０１１号公報、特開平０６−２１２６０５号公報、特開平１０−１８３５２６号公報、特開２０００−２９０９２１号公報、特開２００４−２１１３５２号公報、特開２０１０−００７４５８号公報、及び、特開２０１３−０５３４６２号公報等に開示されている。
【０００４】
しかし、前者の加熱する方法は、加熱装置が必要な上、熱容量の大きな転圧板をアスファルトが溶融する約１６０℃以上に加熱するための多大なエネルギーが消費されるという欠点がある。一方、後者の離型性を付与する方法は、散水機を搭載するだけでよいため、路面の舗装や転圧するための様々なローラーで一般的に採用されているにもかかわらず、プレートコンパクタ等のような、振動が激しく、一人で操作する小型転圧機では実用化されていない。現実的には、振動式路面転圧機を操作する作業員以外に、如雨露のような注ぎ口と取っ手のある散水具を用いてアスファルト付着防止剤を散布する作業員を要しており、労働生産性の低い工程となっている。
【０００５】
これは、プレートコンパクタ等のような小型転圧機では散水ポンプをつけることが困難なため、激しく振動する転圧機を前後左右に一人で操作しながら、特開２０１０−００７４５８号公報や特開２０００−２９０９２１号公報等の従来技術のように、開閉コックやレバー等による散水の開始及び停止も同時に行わなければならないことに起因している。
【先行技術文献】
【特許文献】
【０００６】
【特許文献１】特開平０７−１１３２０９号公報
【特許文献２】特開平１０−３１７３１４号公報
【特許文献３】特開２００１−０２０２１３号公報
【特許文献４】特開２００８−０３８５８１号公報
【特許文献５】特開２０１１−１９０５８７号公報
【特許文献６】特開平０６−１９３０１１号公報
【特許文献７】特開平０６−２１２６０５号公報
【特許文献８】特開平１０−１８３５２６号公報
【特許文献９】特開２０００−２９０９２１号公報
【特許文献１０】特開２００４−２１１３５２号公報
【特許文献１１】特開２０１０−００７４５８号公報
【特許文献１２】特開２０１３−０５３４６２号公報
【発明の概要】
【発明が解決しようとする課題】
【０００７】
上述したように、アスファルトとの付着防止剤の供給装置が搭載された従来の振動式路面転圧機は、付着防止材を自動的かつ連続的に供給できないため、その操作上の問題があった。
【０００８】
従って、本発明は、振動式路面転圧機において、その転圧板表面にアスファルトとの付着防止材を自動的かつ継続的に供給することができる装置を提供することを目的としている。
【課題を解決するための手段】
【０００９】
本発明者は、振動式路面転圧機のアスファルト付着防止剤供給装置において、アスファルト付着防止剤を排出する機構を、弁体、弁座、弁口、弁体制動部材を備える弁とすることによって、振動式路面転圧機の振動によって弁が自動的に開閉することを見出し、本発明を完成した。
【００１０】
すなわち、本発明の一態様としては、振動式路面転圧機の振動によって開閉する弁を備えたことを特徴とするアスファルト付着防止剤の供給装置が提供される。更に詳しい態様としては、上記振動によって開閉する弁が、弁体、弁座、弁口、弁体制動部材を備え、静止状態において弁体にかかる応力によって弁体が弁座と密着して弁口を塞ぐことを特徴とするアスファルト付着防止剤の供給装置が提供される。
【発明の効果】
【００１１】
本発明により、プレートコンパクタのような小型の振動式路面転圧機にアスファルトが付着することなく、スムースな路面転圧を一人の作業員で行うことができ、労働生産性を高めることができる。
【図面の簡単な説明】
【００１２】
【図１】本発明の第１の実施形態によるアスファルト付着防止剤供給装置の正面から見た断面図であり、振動によって開閉する弁体の役割を担うボールの運動をボール制動部材で制御する方法を示している。
【図２】本発明の第２の実施形態によるアスファルト付着防止剤供給装置の正面から見た断面図（ａ）及び振動によって開閉する弁体の役割を担うボールの取り付け部の破線アで切断した断面図（ｂ）であり、振動によって開閉する弁体の役割を担うボールをピンとアームで制御する方法の一例である。
【図３】本発明の第３の実施形態によるアスファルト付着防止剤供給装置の正面から見た断面図であり、振動によって開閉する弁体の運動を、ボール、案内棒、及び、支持部材で制御する方法を示している。
【図４】本発明の第４の実施形態によるアスファルト付着防止剤供給装置の正面から見た断面図であり、振動によって開閉する弁体の運動を、バネ、案内棒、及び、支持部材で制御する方法を示している。
【図５】本発明の第５の実施形態によるアスファルト付着防止剤供給装置の正面から見た断面図であり、第２の実施形態を並列して設けることによって容量を調整する方法を示している。
【発明を実施するための形態】
【００１３】
本発明のアスファルト付着防止剤供給装置は、プレートコンパクタ等の振動式路面転圧機の転圧板表面へのアスファルト付着防止剤の供給が、そのタンクが搭載されている振動式路面転圧機の振動によって開閉する弁によって自動的に制御されることを特徴としており、図面により、その実施形態を具体的に説明するが、これらに限定されるものではない。
【００１４】
＜第１の実施形態＞
まず、本発明の第１の実施形態にかかるアスファルト付着防止剤供給装置について、図１を参照しながら説明する。
【００１５】
図１は、弁体の役割を果たし、比重が３〜２２となるように作製されたボール３が、排出口に設けられた弁座６の弁口５に密着するように、ボール制動部材４を備え、アスファルト付着防止剤９を蓋８からタンク１にいれた弁室２の静止している状態を示している。
【００１６】
図から明らかなように、本実施形態は、弁体にかかる応力によって弁体が弁座と密着して弁口を塞ぐ代表的な弁の構造となっており、振動式路面転圧機を作動させることによって重量のあるボール３が上下動し、弁口５から排出口７にアスファルト付着防止剤が流れていくしくみである。ボール制動部材４は、振動して弁座６から離れたボール３が図１の位置に戻ってくるような形状であれば、図１のボール制動部材の形状に限定されるものではない。また、タンク１自体が、ボール制動部材と同じ機能をもたせた形状でもよい。
【００１７】
このように、本発明のアスファルト付着防止剤供給装置は重量のある弁体３が激しく振動するため、タンク１やボール制動部材４は、金属製やエンジニアリングプラスチック（ＥＰ）、繊維強化プラスチック（ＦＲＰ）等の材質で作製されたものが好ましい。騒音や重量を考慮すると、ＥＰまたはＦＲＰがより好ましい。
【００１８】
一方、ボール３についても、振動による弁体の役割を果たすために、比重の大きな材質で作製されなければならないが、騒音や弁座との密着性を考慮すると、ゴム状弾性体で包まれた金属製のものが好ましい。
【００１９】
すなわち、本発明の第１の実施形態にかかるアスファルト付着防止剤供給装置は、静止状態において、比重が３〜２２の弁体の役割を果たすボール３が弁座５と密着して弁口５を塞ぐように位置し、振動式路面転圧機の作動による上下動によってアスファルト付着防止剤が排出され、上記振動式路面転圧機が停止すると共に、ボール制動部材４によってボール３が弁座５と密着して弁口５を塞ぐように戻ることを特徴とするものである。
【００２０】
＜第２の実施形態＞
次いで、本発明の第２の実施形態にかかるアスファルト付着防止剤供給装置について、図２を参照しながら説明する。
【００２１】
第２の実施形態も、第１の実施形態と同様に働くアスファルト付着防止剤供給装置であることにかわりないが、弁体の役割を果たすボール３を制動するしくみが異なる。上記第１の実施形態の場合、ボール３が、ボール制動部材４によって振動式路面転圧機が停止したときの位置に戻されるのに対し、本実施形態の場合、ボール３は、ボール３に固定されたアーム１０をピン１１で可動できるように取り付けることによって振動式路面転圧機が停止したときの位置に戻される。このボールを制動するしくみ以外は、第１の実施形態と同様に構成される。なお、図２は、静止して弁口が塞がれている状態である。
【００２２】
このように、本発明の第２の実施形態にかかるアスファルト付着防止剤供給装置は、静止状態において、比重が３〜２２の弁体の役割を果たすボール３が、ボール３に固定されたアーム１０をピン１１で稼働できるようにタンクに取り付けて弁座５と密着して弁口５を塞ぐように位置し、振動式路面転圧機の作動による上下動によってアスファルト付着防止剤が排出され、上記振動式路面転圧機が停止すると共に、アーム１０によってボール３が弁座５と密着して弁口５を塞ぐように戻ることを特徴とするものである。
【００２３】
＜第３の実施形態＞
また、図３に示したように、第３の実施形態にかかるアスファルト付着防止剤供給装置は、静止状態において、第１の実施形態と同じボール３を備えた案内棒１３に固定された弁体１２が、弁座６と密着して弁口５を塞ぐように支持部材１４で配置され、振動式路面転圧機の作動によって上記案内棒１３が上下動しアスファルト付着防止剤が排出され、振動式路面転圧機の停止と共に上記案内棒１３に固定された弁体１２が、弁座６と密着して弁口５を塞ぐように戻ることを特徴とするものである。この第３の実施形態も、第１及び第２の実施形態と同様に、弁体にかかる応力によって弁体が弁座と密着して弁口を塞ぐしくみであるが、弁体の運動を制御する方法が異なるだけである。なお、図３は、振動式路面転圧機が作動しており、アスファルト付着防止剤が排出している状態の断面図である。
【００２４】
第３の実施形態の場合、弁体１２または弁座６の少なくともいずれか一方の材質がゴム状弾性体であることが好ましい。
【００２５】
＜第４の実施形態＞
更に、第４の実施形態にかかるアスファルト付着防止剤供給装置は、図４から明らかなように、上記第３の実施形態における重量のあるボール３のかわりに、バネ１５によって弁体５が弁座６と密着して弁口５を塞ぐことを特徴とするものである。図４は、静止しており、弁口が塞がれた状態を示している。
【００２６】
第４の実施形態のようにバネの力を用いて弁口５を防ぐため、タンク１は、金属、ＥＰ、ＦＲＰ等の強度を必要としないので、汎用のプラスチック成形体を用いることができるという長所がある。
【００２７】
＜第５の実施形態＞
最後に第５の実施形態にかかるアスファルト付着防止剤供給装置は、アスファルト付着防止剤の容量を増やす方法の一例である。図５は、タンク１を横に並べているが、縦に並べてもよい。また、アスファルト付着防止剤の排出するしくみは、上記第１乃至第４の実施形態のいずれも採用することができる。なお、図５は、振動して、弁口が開いている状態を示している。
【産業上の利用可能性】
【００２８】
本発明は、ブロック、前後進、バイブロ等、各種プレートコンパクタだけでなく、振動ローラー、ランマー、タンパ等の振動を伴う転圧機に幅広く用いることができる。また、振動と同時に何らかの液体を供給しなければならない装置に応用することができる。
【符号の説明】
【００２９】
１  タンク
２  弁室
３  ボール
４  ボール制動部材
５  弁口
６  弁座
７  排出口
８  蓋
９  アスファルト付着防止剤
１０  アーム
１１  ピン
１２  弁体
１３  案内棒
１４  支持部材
１５  バネ
【図１】
2015021363.tif 000003
【図２】
2015021363.tif 000004
【図３】
2015021363.tif 000005
【図４】
2015021363.tif 000006
【図５】
2015021363.tif 000007